(57)【要約】【課題】表示部を目立たせることができる表示装置を提供する。【解決手段】表示装置１００は、表示部２１と、筒部１０と、回転部３１とを備える。表示部２１は、画像を表示する。筒部１０は、表示部２１が配置される。回転部３１は、筒部１０を回転させる。表示部２１は、筒部１０の湾曲面１１に沿って配置される。制御情報に基づいて、回転部３１を制御する回転制御部３４１を更に備えることが好ましい。制御情報は、時間を示す情報を含むことが好ましい。【選択図】図２
2022003360.tif 000002
【特許請求の範囲】
【請求項１】
画像を表示する表示部と、
前記表示部が配置される筒部と、
前記筒部を回転させる回転部と
を備え、
前記表示部は、前記筒部の湾曲面に沿って配置される、表示装置。
【請求項２】
制御情報に基づいて、前記回転部を制御する回転制御部を更に備え、
前記制御情報は、時間を示す情報を含む、請求項１に記載の表示装置。
【請求項３】
制御情報に基づいて、前記回転部を制御する回転制御部を更に備え、
前記制御情報は、天候を示す情報を含む、請求項１に記載の表示装置。
【請求項４】
制御情報に基づいて、前記回転部を制御する回転制御部を更に備え、
前記制御情報は、前記表示部が表示する特定の画像を示す情報を含み、
前記回転制御部は、前記特定の画像を前記表示部が表示する時に前記回転部を制御する、請求項１に記載の表示装置。
【請求項５】
前記回転制御部は、前記回転部の回転速度の変更、前記回転部の回転方向の変更、前記回転部の回転の停止、または、前記回転部の回転の開始を実行するように、前記回転部を制御する、請求項２から請求項４のいずれか１項に記載の表示装置。
【請求項６】
複数の前記表示部を備え、
前記複数の表示部は、前記回転部の回転軸に沿って、前記湾曲面に並べて配置される、請求項１から請求項５のいずれか１項に記載の表示装置。
【請求項７】
表示部が画像を表示する工程と、
前記表示部が配置された筒部を回転させる工程と
を包含し、
前記表示部は、前記筒部の湾曲面に沿って配置される、表示方法。
【請求項８】
筒部と、前記筒部の湾曲面に配置される表示部と、前記筒部を回転させる回転部とを備える表示装置と通信するサーバーであって、
前記回転部を制御するための制御情報を生成する生成部と、
前記制御情報を前記表示装置に送信する通信部と
を備える、サーバー。
【請求項９】
筒部と、前記筒部の湾曲面に配置される表示部と、前記筒部を回転させる回転部とを備える表示装置と通信するサーバーの制御方法であって、
前記回転部を制御するための制御情報を生成する工程と、
前記制御情報を前記表示装置に送信する工程と
を包含する、サーバーの制御方法。
【発明の詳細な説明】
【技術分野】
【０００１】
本発明は、表示装置、表示方法、サーバー、及び、サーバーの制御方法に関する。
【背景技術】
【０００２】
特許文献１に記載の表示装置は、表示パネルと、支持体と、フレームとを備える。表示パネルは、画像を表示する。支持体は、表示パネルを支持する。支持体の曲面には、表示パネルが配置される。フレームは、環状である。フレームには、支持部が固定される。
【先行技術文献】
【特許文献】
【０００３】
【特許文献１】特開２０１６−１６７０４９号公報
【発明の概要】
【発明が解決しようとする課題】
【０００４】
しかしながら、特許文献１に記載の表示装置では、表示パネルのような表示部が曲面に取付けられるものの、表示部を目立たせることができなかった。
【０００５】
本発明は上記課題に鑑みてなされたものであり、表示部を目立たせることができる表示装置、表示方法、サーバー、及び、サーバーの制御方法を提供することを目的とする。
【課題を解決するための手段】
【０００６】
本発明の一局面によれば、表示装置は、表示部と、筒部と、回転部とを備える。前記表示部は、画像を表示する。前記筒部は、前記表示部が配置される。前記回転部は、前記筒部を回転させる。前記表示部は、前記筒部の湾曲面に沿って配置される。
【０００７】
本発明の他の局面によれば、表示方法は、表示する工程と、回転させる工程とを包含する。前記表示する工程は、表示部が画像を表示する。前記回転させる工程は、前記表示部が配置された筒部を回転させる。前記表示部は、前記筒部の湾曲面に沿って配置される。
【０００８】
本発明の他の局面によれば、サーバーは、筒部と、前記筒部の湾曲面に配置される表示部と、前記筒部を回転させる回転部とを備える表示装置と通信する。前記サーバーは、生成部と、通信部とを備える。前記生成部は、前記回転部を制御するための制御情報を生成する。前記通信部は、前記制御情報を前記表示装置に送信する。
【０００９】
本発明の他の局面によれば、サーバーの制御方法は、筒部と、前記筒部の湾曲面に配置される表示部と、前記筒部を回転させる回転部とを備える表示装置と通信するサーバーの制御方法である。前記サーバーの制御方法は、生成する工程と、送信する工程とを包含する。生成する工程は、前記回転部を制御するための制御情報を生成する。送信する工程は、前記制御情報を前記表示装置に送信する。
【発明の効果】
【００１０】
本発明の表示装置、表示方法、サーバー、及び、サーバーの制御方法によれば表示部を目立たせることができる。
【図面の簡単な説明】
【００１１】
【図１】本発明の実施形態に係る表示システムを示すブロック図である。
【図２】本実施形態に係る表示システムを模式的に示す図である。
【図３】本実施形態に係るサーバーを示すブロック図である。
【図４】本実施形態に係る表示装置を示すブロック図である。
【図５】本実施形態に係る制御情報を示す図である。
【図６】本実施形態に係る制御情報を示す別の図である。
【図７】本実施形態に係るサーバーが実行する処理を示すフローチャートである。
【図８】本実施形態に係るサーバーが実行する割込み処理を示すフローチャートである。
【図９】本実施形態に係る表示装置が実行する処理を示すフローチャートである。
【図１０】本実施形態の第１変形例の表示装置を示す図である。
【図１１】図１０に示す筒部の断面を示す模式図である。
【発明を実施するための形態】
【００１２】
以下、本発明の実施形態について、図面を参照しながら説明する。なお、図中、同一または相当部分については同一の参照符号を付して説明を繰り返さない。
【００１３】
図１と図２とを参照して、本発明の実施形態に係る表示システム１について説明する。図１は、本発明の実施形態に係る表示システム１を示すブロック図である。図２は、本発明の実施形態に係る表示システム１を模式的に示す図である。表示システム１は、例えば、デジタルサイネージの分野で利用される。
【００１４】
図１に示すように、表示システム１は、表示装置１００と、サーバー２００とを備える。
【００１５】
サーバー２００は、ネットワークＮを介して表示装置１００と互いに通信可能である。ネットワークＮは、例えば、有線である。
【００１６】
図２に示すように、表示装置１００は画像を表示する。表示装置１００は、例えば、部屋に載置された机の上に配置される。また、表示装置１００は、部屋の天井から吊り下げられて、天井に配置されてもよい。また、表示装置１００は、部屋の床に設置されてもよい。また、表示装置１００は、展示物の内部に配置され、展示物に配置された隙間から表示装置１００が見えるように配置されていてもよい。表示装置１００は、筒部１０と、表示ユニット２０と、回転ユニット３０とを備える。
【００１７】
筒部１０は、円筒形状である。つまり、筒部１０の外面は、湾曲面１１である。また、筒部１０は、内部空間１２を有する。筒部１０には、後述する表示部２１が配置される。具体的には、筒部１０の湾曲面１１に表示部２１が配置される。
【００１８】
表示ユニット２０は、画像を表示する。画像は、静止画及び動画を含む。表示ユニット２０は、表示部２１と、表示基板２２と、電源部２３と、通信部２２３を含む。
【００１９】
表示部２１は、画像を表示する。表示部２１は、筒部１０の湾曲面１１に沿うように配置される。表示部２１は、例えば、液晶ディスプレイ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）ディスプレイ、マイクロＬＥＤ（Ｌｉｇｈｔ  Ｅｍｉｔｔｉｎｇ  Ｄｉｏｄｅ）、またはプラズマディスプレイである。
【００２０】
なお、本実施形態では表示部２１が有機ＥＬである場合を例にして説明する。表示部２１は、可撓性を有している。つまり、表示部２１は、外力が加えられた方向に屈曲可能である。したがって、表示部２１を湾曲面１１に沿わすことができる。また、表示部２１が可撓性を有さない場合、予め表示部２１を湾曲面１１に沿うように曲げ加工を行っておくことが好ましい。
【００２１】
表示基板２２は、表示部２１に画像情報を送る。表示基板２２は、サーバー２００と配線を介して接続されている。また、表示基板２２とサーバー２００との接続は、例えば、通信部２２３を介して接続される。つまり、通信部２２３を介して、サーバー２００からの電気信号が表示装置１００に送信される。
【００２２】
電源部２３は、表示部２１に電力を供給する。電源部２３は、外部の電源と接続される。また、電源部２３は、表示基板２２と接続される。表示基板２２と電源部２３との接続は、例えば、通信部２２３を介して接続される。つまり、通信部２２３を介して、電源部２３は表示装置１００に電力を供給する。具体的には、通信部２２３を介して、電源部２３は、外部の電源の電力を表示基板２２に供給する。そして、表示基板２２を介して、電源部２３が供給した電力が表示部２１に供給される。また、電源部２３は、二次電池を有していてもよい。二次電池は、電力を蓄える。二次電池が蓄えた電力は、外部の電源から供給される電力が低下した場合に利用される。
【００２３】
通信部２２３は、外部からの電力、及び、電気信号を伝達する。通信部２２３は、ネットワークＮと接続される。通信部２２３は、例えば、スリップリングである。スリップリングは、回転体に取付け可能な回転コネクタである。スリップリングは、導電体のリング２３１と、導電体の複数のブラシ２３２とを有する。リング２３１は、後述する回転ユニット３０の回転軸３３に取付けられる。複数のブラシ２３２は、リング２３１に接触する。複数のブラシ２３２のうちの１つは、電源部２３が供給した電力を表示基板２２に伝達する。複数のブラシ２３２のうちの他の１つは、サーバー２００から送信された電気信号を表示基板２２に伝達する。
【００２４】
回転ユニット３０は、筒部１０を回転させる。回転ユニット３０は、回転部３１と、回転基板３４とを含む。
【００２５】
回転部３１は、筒部１０を回転させる。つまり、筒部１０の湾曲面１１に沿って配置される表示部２１も筒部１０の回転とともに回転する。したがって、画像を表示した表示部２１を回転させて、表示部２１を目立たせることができる。つまり、使用者の視線を表示部２１に集中させることができる。この結果、表示装置１００を広告媒体として使用した際に、効果的に宣伝できる。
【００２６】
回転部３１は、例えば、ステッピングモーターである。ステッピングモーターは、１パルスに対して、モーターの軸の回転角度が決められている。したがって、ステッピングモーターは、パルス信号の数に応じて、モーターの軸が回転する。
【００２７】
回転部３１は、回転軸３３を含む。回転軸３３は、回転部３１に接続され、回転部３１の回転に伴って回転する。回転軸３３には、筒部１０が取り付けられる。つまり、図２に示すように、回転部３１の回転に伴って筒部１０は、第１方向Ｒ１または第２方向Ｒ２に回転する。第１方向Ｒ１は、回転部３１が正転する方向を示す。第２方向Ｒ２は、第１方向Ｒ１の逆方向を示す。
【００２８】
回転基板３４は、回転部３１に電力を供給する。また、回転基板３４は、回転部３１を制御する。回転基板３４は、サーバー２００と配線を介して接続されている。
【００２９】
次に、図１〜図４を参照して、表示システム１を更に詳しく説明する。図３は、サーバー２００を示すブロック図である。図４は、表示装置１００を示すブロック図である。
【００３０】
図３に示すように、サーバー２００は、操作部２０２と、通信部２０３と、記憶部２０４と、制御部２０１とを備える。
【００３１】
操作部２０２は、使用者の操作を受け付ける。操作部２０２の操作結果は、制御部２０１に出力される。表示装置１００の各種機能の実行指示は、操作部２０２に入力され得る。
【００３２】
通信部２０３は、表示装置１００と通信する。具体的には、通信部２０３は、ネットワークＮを介して、制御情報を表示装置１００に送信する。制御情報は、表示装置１００を制御するための情報である。以下、制御情報を制御情報Ｄと記載する場合がある。
【００３３】
記憶部２０４は、データ及びコンピュータープログラムを記憶する。例えば、記憶部２０４は、制御部２０１の各処理に必要なデータを一時的に記憶したり、サーバー２００に対する設定データを記憶したりする。記憶部２０４は、記憶装置（主記憶装置及び補助記憶装置）を含み、例えば、メモリー及びハードディスクドライブを含む。記憶部２０４はリムーバブルメディアを含んでもよい。
【００３４】
制御部２０１は、ＣＰＵ（Ｃｅｎｔｒａｌ  Ｐｒｏｃｅｓｓｉｎｇ  Ｕｎｉｔ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなプロセッサー、及び記憶装置を含む。例えば、制御部２０１は、操作部２０２が出力した信号を受け取る。制御部２０１は、受け取った信号に基づいて、サーバー２００の各要素を制御する。具体的には、図３に示すように、制御部２０１は、通信部２０３、及び記憶部２０４のようなサーバー２００の各要素を制御する。
【００３５】
また、制御部２０１は、生成部２１１を有する。生成部２１１は、制御情報Ｄを生成する。生成部２１１が生成した制御情報Ｄは、通信部２０３によって表示装置１００に送信される。具体的には、制御部２０１は、通信部２０３が制御情報Ｄを表示装置１００に送信するように、通信部２０３を制御する。
【００３６】
図４に示すように、表示装置１００の表示ユニット２０は、記憶部２２２と、表示制御部２２１とを更に含む。通信部２２３と、記憶部２２２と、表示制御部２２１とは、表示基板２２に実装される。
【００３７】
通信部２２３は、サーバー２００の通信部２０３と通信する。具体的には、通信部２２３は、ネットワークＮを介して、制御情報Ｄをサーバー２００の通信部２０３から受信する。
【００３８】
記憶部２２２は、データ及びコンピュータープログラムを記憶する。例えば、記憶部２２２は、表示ユニット２０の各処理に必要なデータを一時的に記憶したり、表示ユニット２０に対する設定データを記憶したりする。記憶部２２２は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）を含む。
【００３９】
表示制御部２２１は、表示部２１が画像を表示するように、表示部２１を制御する。制御部２０１は、ＣＰＵまたはＡＳＩＣのようなプロセッサー、及び記憶装置を含む。例えば、表示制御部２２１は、通信部２２３が受信した制御情報Ｄを受け取る。表示制御部２２１は、受け取った制御情報Ｄに基づいて、表示部２１を制御する。また、表示制御部２２１は、ＲＴＣ（Ｒｅａｌ  Ｔｉｍｅ  Ｃｌｏｃｋ）機能を有していてもよい。したがって、表示制御部２２１は、時刻をカウントしている。
【００４０】
また、表示制御部２２１は、回転部３１の回転位置に基づいて、表示部２１が画像を表示するように、表示部２１を制御する。つまり、回転部３１の回転位置に基づいて、表示部２１に表示する画像を変更できる。
【００４１】
図４に示すように、表示装置１００の回転ユニット３０は、電源部３４４と、通信部３４３と、記憶部３４２と、回転制御部３４１とを含む。電源部３４４と、通信部３４３と、記憶部３４２と、回転制御部３４１とは、回転基板３４に実装される。
【００４２】
電源部３４４は、回転部３１に電力を供給する。電源部３４４は、外部の電源と接続される。また、電源部３４４は、回転基板３４に接続される。つまり、電源部３４４が供給する電力は、回転基板３４を介して、回転部３１に伝達される。
【００４３】
通信部３４３は、サーバー２００の通信部２０３と通信する。具体的には、通信部３４３は、ネットワークＮを介して、制御情報Ｄをサーバー２００の通信部２０３から受信する。
【００４４】
記憶部３４２は、データ及びコンピュータープログラムを記憶する。例えば、記憶部３４２は、回転部３１の各処理に必要なデータを一時的に記憶したり、回転部３１に対する設定データを記憶したりする。記憶部３４２は、ＲＯＭ、及びＲＡＭのような主記憶装置（例えば、半導体メモリー）を含み、補助記憶装置（例えば、ハードディスクドライブ）を含む。
【００４５】
回転制御部３４１は、回転部３１が回転するように、回転部３１を制御する。回転制御部３４１は、ＣＰＵまたはＡＳＩＣのようなプロセッサー、及び記憶装置を含む。例えば、回転制御部３４１は、通信部３４３が受信した制御情報Ｄを受け取る。回転制御部３４１は、受け取った制御情報Ｄに基づいて、回転部３１を制御する。
【００４６】
具体的には、制御情報Ｄに基づいて、回転制御部３４１は、回転部３１の回転速度の変更、回転部３１の回転方向の変更、回転部３１の回転の停止、または、回転部３１の回転の開始を実行するように、回転部３１を制御する。したがって、画像を表示した表示部２１に、回転部３１の演出を追加できる。この結果、表示部２１を目立たせて、使用者を表示部２１に更に集中させることができる。
【００４７】
例えば、回転制御部３４１は、回転部３１の回転速度を第１速度または第２速度に変更するように、回転部３１を制御する。第１速度は、第２速度よりも遅い速度を示す。つまり、回転速度を変更することで、他の表示装置よりも、本実施形態の表示装置１００を目立たせることができる。
【００４８】
また、例えば、回転制御部３４１は、回転部３１の回転方向を第１方向Ｒ１または第２方向Ｒ２に変更するように、回転部３１を制御する。つまり、回転方向を変更することで、他の表示装置よりも本実施形態の表示装置１００を目立たせることができる。
【００４９】
また、例えば、回転制御部３４１は、回転部３１の回転を停止するように、回転部３１を制御する。つまり、表示部２１に表示した画像を使用者が視認するように促すことができる。
【００５０】
また、例えば、回転制御部３４１は、回転部３１の回転を開始するように、回転部３１を制御する。
【００５１】
次に、図３〜図６を参照して、表示システム１を更に詳しく説明する。図５は、制御情報Ｄを示す図である。図６は、制御情報Ｄを示す別の図である。
【００５２】
図５に示すように、制御情報Ｄは、サイネージ情報ＤＡを含む。つまり、生成部２１１は、サイネージ情報ＤＡを生成する。サイネージ情報ＤＡは、表示部２１と回転部３１とを制御するための情報である。また、サイネージ情報ＤＡをサーバー２００から受信した表示装置１００は、サイネージ情報ＤＡに基づいて、表示部２１と回転部３１とを制御する。
【００５３】
図５に示すように、サイネージ情報ＤＡは、時間情報ＤＡ１を含む。時間情報ＤＡ１は、時間を表す情報を示す。具体的には、時間情報ＤＡ１は、表示部２１が画像を表示する期間、及び、表示部２１が画像を表示する時刻を含む。期間は、表示部２１が画像を表示する時間枠、及び、表示部２１が画像を表示する時間帯を示す。時間情報ＤＡ１は、予め定められる。時間情報ＤＡ１は、第１時間情報ＤＡ１０１と、第２時間情報ＤＡ１０２とを含む。第１時間情報ＤＡ１０１は、所定の時間、または、所定の期間を示す。時間は、例えば、時刻を含む。具体的には、第１時間情報ＤＡ１０１は、「９：００〜９：５９」の期間を示す。第２時間情報ＤＡ１０２は、所定の時間、または、所定の期間を示す。具体的には、第２時間情報ＤＡ１０２は、「１０：００〜１０：５９」の期間を示す。
【００５４】
回転制御部３４１は、時間情報ＤＡ１に基づいて、回転部３１を制御する。つまり、予め定められた時間に回転部３１が回転する。したがって、予め定められた時間に表示される画像にあわせて回転の演出を追加できる。この結果、使用者に周知したい画像を表示している時に、表示部２１を目立たせて、使用者の注意を更に引きつけることができる。よって、表示部２１のデジタルサイネージとしての機能を向上できる。
【００５５】
また、図５に示すように、サイネージ情報ＤＡは、表示制御情報ＤＡ２を更に含む。表示制御情報ＤＡ２は、表示部２１を制御するための制御情報を示す。表示制御情報ＤＡ２は、時間情報ＤＡ１に関連付けられる。表示制御情報ＤＡ２は、画像情報ＤＡ３と、表示時間長情報ＤＡ４、再生回数情報ＤＡ５とを含む。
【００５６】
画像情報ＤＡ３は、表示部２１に表示される画像を示す。また、画像情報ＤＡ３は、表示部２１が表示する特定の画像を示す情報を含む。画像情報ＤＡ３は、複数の画像を含む。画像情報ＤＡ３は、複数の画像形式が含まれる。画像形式は、例えば、ＷＭＶ（Ｗｉｎｄｏｗｓ（登録商標）  Ｍｅｄｉａ  Ｖｉｄｅｏ）、ｊｐｇ（Ｊｏｉｎｔ  Ｐｈｏｔｏｇｒａｐｈｉｃ  Ｅｘｐｅｒｔｓ  Ｇｒｏｕｐ）、ｂｍｐ（Ｂｉｔｍａｐ  Ｉｍａｇｅ）である。
【００５７】
例えば、図５に示すように、画像情報ＤＡ３は、第１画像〜第１２画像を含む。図５に示すように、第１画像〜第６画像は、第１時間情報ＤＡ１０１が示す時間に表示部２１に表示される。第７画像〜第１２画像は、第２時間情報ＤＡ１０２が示す時間に表示部２１に表示される。
【００５８】
回転制御部３４１は、画像情報ＤＡ３に基づいて、回転部３１を制御する。具体的には、回転制御部３４１は、特定の画像を表示部２１が表示する時に回転部３１を制御する。したがって、使用者に見てほしい画像を表示する時にあわせて、回転部３１を回転させることができる。この結果、表示部２１を目立たせて、使用者に画像を視認することを更に促すことができる。
【００５９】
表示時間長情報ＤＡ４は、画像が表示部２１に表示されてから、画像が表示部２１に表示されなくなるまでの時間を示す。第１画像〜第１２画像の各々には、表示時間長情報ＤＡ４が設定される。例えば、第１表示時間長は、「１００秒」である。つまり、第１画像は、表示部２１に「１００秒」だけ表示される。
【００６０】
再生回数情報ＤＡ５は、画像の再生回数を示す。図５に示すように、画像の再生回数が「１」となっている場合、画像は１回だけ表示部２１に表示される。例えば、第１画像は、１回だけ表示部２１に表示される。また、図５に示すように、画像の再生回数が「９９９９９９」となっている場合、画像は表示部２１に繰り返して表示される。例えば、第２画像は、表示部２１に繰り返して表示される。
【００６１】
また、本実施形態では、例えば、第１画像が１度だけ表示部２１に表示された後、第２画像〜第６画像が順番に表示部２１に表示される。そして、第１時間情報ＤＡ１０１が示す「９：５９」まで、第２画像〜第６画像が順番に表示部２１に表示される。
【００６２】
例えば、サイネージ情報ＤＡを受信した場合、表示制御部２２１は、時間情報ＤＡ１と表示制御情報ＤＡ２とに基づいて、表示部２１が画像を表示するように、表示部２１を制御する。具体的には、例えば、表示制御部２２１は、第１時間情報ＤＡ１０１に関連付けられた画像情報ＤＡ３である第１画像〜第６画像を記憶部２２２から抽出する。そして、第１時間情報ＤＡ１０１と再生回数情報ＤＡ５とに基づいて、表示制御部２２１は、第１画像〜第６画像が表示部２１に表示されるように、表示部２１を制御する。
【００６３】
また、図５に示すように、サイネージ情報ＤＡは、回転制御情報ＤＡ６を含む。回転制御情報ＤＡ６は、回転部３１を制御するための制御情報を示す。回転制御部３４１は、回転制御情報ＤＡ６に基づいて、回転部３１を制御する。回転制御情報ＤＡ６は、時間情報ＤＡ１と、表示制御情報ＤＡ２と関連付けられる。回転制御情報ＤＡ６は、第１回転情報ＤＡ７、第２回転情報ＤＡ８、第３回転情報ＤＡ９、及び、第４回転情報ＤＡ１０を含む。
【００６４】
第１回転情報ＤＡ７は、回転部３１の回転の停止を示す。例えば、第１画像が表示部２１に表示されている場合、回転部３１の回転は停止している。第２回転情報ＤＡ８は、回転部３１の回転の開始を示す。例えば、第２画像が表示部２１に表示される場合、回転部３１は回転を開始する。第３回転情報ＤＡ９は、回転部３１の回転方向の変更を示す。例えば、第２画像が表示部２１に表示される場合、回転部３１は第１方向Ｒ１に回転する。第４回転情報ＤＡ１０は、回転部３１の回転速度の変更を示す。例えば、第２画像が表示部２１に表示される場合、回転部３１は第１速度で回転する。
【００６５】
また、例えば、サイネージ情報ＤＡを受信した場合、回転制御部３４１は、時間情報ＤＡ１と、画像情報ＤＡ３と、回転制御情報ＤＡ６とに基づいて、回転部３１を制御する。具体的には、時間情報ＤＡ１と、画像情報ＤＡ３と、回転制御情報ＤＡ６とに基づいて、回転制御部３４１は回転部３１を制御する。例えば、第１画像が表示される時間の場合、回転制御部３４１は、第１回転情報ＤＡ７に基づいて、回転部３１が回転を停止するように、回転部３１を制御する。例えば、第２画像が表示される時間の場合、回転制御部３４１は、第２回転情報ＤＡ８に基づいて、回転部３１が回転を開始するように、回転部３１を制御する。更に、第２画像が表示される時間の場合、回転制御部３４１は、第３回転情報ＤＡ９に基づいて、回転部３１が第１方向Ｒ１に回転するように、回転部３１を制御する。更に、第２画像が表示される時間の場合、回転制御部３４１は、第４回転情報ＤＡ１０に基づいて、回転部３１が第１速度で回転するように、回転部３１を制御する。
【００６６】
図６に示すように、制御情報Ｄは、割込み制御情報ＤＢを含む。生成部２１１は、割込み制御情報ＤＢを生成する。割込み制御情報ＤＢは、サイネージ情報ＤＡに表示部２１と回転部３１とを制御するための情報を割り込ませる情報である。また、割込み制御情報ＤＢは、サイネージ情報ＤＡに表示部２１と回転部３１とを制御するための情報を追加する情報である。割込み制御情報ＤＢをサーバー２００から受信した表示装置１００は、サイネージ情報ＤＡと割込み制御情報ＤＢとに基づいて、表示部２１と回転部３１とを制御する。
【００６７】
図６に示すように、割込み制御情報ＤＢは、時間情報ＤＢ１を含む。時間情報ＤＢ１は、時間を表す情報を示す。時間情報ＤＢ１は、予め定められる。時間情報ＤＢ１は、第３時間情報ＤＢ１０１と、第４時間情報ＤＢ１０２とを含む。第３時間情報ＤＢ１０１は、特定の時刻を示す。具体的には、第３時間情報ＤＢ１０１は、「９：１０」を示す時刻である。第４時間情報ＤＢ１０２は、特定の時刻を示す。具体的には、第４時間情報ＤＢ１０２は、「１０：３０」を示す時刻である。
【００６８】
回転制御部３４１は、時間情報ＤＢ１に基づいて、回転部３１を制御する。つまり、予め定められた時刻に回転部３１が回転する。したがって、画像を表示する表示部２１を回転させる演出を所望の時刻に追加できる。この結果、使用者に視認して欲しい画像が表示される時刻に、表示部２１をより目立たせて、使用者の視線を表示部２１に集中させることができる。
【００６９】
また、図６に示すように、割込み制御情報ＤＢは、表示制御情報ＤＢ２を更に含む。表示制御情報ＤＢ２は、表示部２１を制御するための制御情報を示す。表示制御情報ＤＢ２は、画像情報ＤＢ３と、表示時間長情報ＤＢ４、再生回数情報ＤＢ５とを含む。
【００７０】
画像情報ＤＢ３は、表示部２１に表示される画像を示す。また、画像情報ＤＢ３は、表示部２１が表示する特定の画像を示す情報を含む。画像情報ＤＢ３は、複数の画像を含む。
【００７１】
例えば、図６に示すように、画像情報ＤＢ３は、第１エフェクト画像〜第３エフェクト画像を含む。図６に示すように、第１エフェクト画像は、第３時間情報ＤＢ１０１が示す時刻に表示部２１に表示される。第２エフェクト画像は、第４時間情報ＤＢ１０２が示す時刻に表示部２１に表示される。第３エフェクト画像は、時刻以外の条件となるときに、表示部２１に表示される。例えば、表示制御情報ＤＡ２に基づいて、表示部２１が表示する画像の上に、第１エフェクト画像〜第３エフェクト画像は表示される。つまり、第１エフェクト画像〜第３エフェクト画像は、表示部２１に表示される画像を目立たせるための画像である。
【００７２】
表示時間長情報ＤＢ４は、画像が表示部２１に表示されてから、画像が表示部２１に表示されなくなるまでの時間を示す。第１エフェクト画像〜第３エフェクト画像の各々には、表示時間長情報ＤＢ４が設定される。再生回数情報ＤＢ５は、画像の再生回数を示す。
【００７３】
例えば、割込み制御情報ＤＢを受信した場合、表示制御部２２１は、時間情報ＤＢ１と表示制御情報ＤＢ２とに基づいて、表示部２１が画像を表示するように、表示部２１を制御する。具体的には、例えば、表示制御部２２１は、第３時間情報ＤＢ１０１に関連付けられた第１エフェクト画像を記憶部２２２から抽出する。そして、第３時間情報ＤＢ１０１と再生回数情報ＤＢ５とに基づいて、表示制御部２２１は、第１エフェクト画像が表示部２１に表示されるように、表示部２１を制御する。
【００７４】
また、図６に示すように、割込み制御情報ＤＢは、回転制御情報ＤＢ６を含む。回転制御情報ＤＢ６は、回転部３１を制御するための制御情報を示す。回転制御部３４１は、回転制御情報ＤＢ６に基づいて、回転部３１を制御する。回転制御情報ＤＢ６は、第１回転情報ＤＢ７、第２回転情報ＤＢ８、第３回転情報ＤＢ９、第４回転情報ＤＢ１０、第５回転情報ＤＢ１１、及び、第６回転情報ＤＢ１２を含む。
【００７５】
第１回転情報ＤＢ７は、回転部３１の回転の停止を示す。第２回転情報ＤＢ８は、回転部３１の回転の開始を示す。第３回転情報ＤＢ９は、回転部３１の回転方向の変更を示す。第４回転情報ＤＢ１０は、回転部３１の回転速度の変更を示す。
【００７６】
第５回転情報ＤＢ１１は、天候を示す情報である。例えば、制御情報Ｄに第５回転情報ＤＢ１１が含まれる場合、天候を示す情報に基づいて、回転制御部３４１は回転部３１を制御する。具体的には、図６に示すように、雨の天候を示す情報の場合、回転制御部３４１は、回転部３１が第１方向Ｒ１に回転するように、回転部３１を制御する。更に、雨の天候を示す情報の場合、回転制御部３４１は、回転部３１が第１速度で回転するように、回転部３１を制御する。つまり、天候にあわせて、回転部３１に対する制御を変更する。この結果、表示部２１の回転が変更されることで、使用者は本日の天候がわかる。
【００７７】
第６回転情報ＤＢ１２は、回転部３１の回転回数を示す情報である。例えば、制御情報Ｄに第６回転情報ＤＢ１２が含まれる場合、回転部３１の回転回数に基づいて、回転制御部３４１は回転部３１を制御する。具体的には、図６に示すように、回転部３１が１０００回転した場合、回転制御部３４１は、回転部３１が第２方向Ｒ２に回転するように、回転部３１を制御する。更に、回転部３１が１０００回転した場合、回転制御部３４１は、回転部３１が第２速度で回転するように、回転部３１を制御する。したがって、回転した回数に応じて、表示部２１に回転の演出を追加できる。この結果、画像を表示する表示部２１を更に目立たすことができる。
【００７８】
次に図７〜図９を参照して、表示システム１が実行する制御を説明する。図７は、サーバー２００が実行する処理を示すフローチャートである。図７に示すように、サーバー２００が実行する処理は、ステップＳ１０１〜ステップＳ１０９を含む。
【００７９】
ステップＳ１０１において、制御部２０１は、操作部２０２が制御情報Ｄの作成コマンドを受け付けたか否かを判定する。操作部２０２が制御情報Ｄの作成コマンドを受け付けていない場合（ステップＳ１０１でＮｏ）、処理は終了する。操作部２０２が制御情報Ｄの作成コマンドを受け付けた場合（ステップＳ１０１でＹｅｓ）、処理はステップＳ１０２に進む。
【００８０】
ステップＳ１０１でＹｅｓの場合、ステップＳ１０２において、制御部２０１は、サイネージ情報ＤＡの作成指示を受け付ける。処理は、ステップＳ１０３に進む。
【００８１】
ステップＳ１０３において、制御部２０１は、時間情報ＤＡ１を受け付ける。処理は、ステップＳ１０４に進む。
【００８２】
ステップＳ１０４において、制御部２０１は、表示制御情報ＤＡ２を受け付ける。処理は、ステップＳ１０５に進む。
【００８３】
ステップＳ１０５において、制御部２０１は、回転制御情報ＤＡ６を受け付ける。処理は、ステップＳ１０６に進む。
【００８４】
ステップＳ１０６において、生成部２１１は、時間情報ＤＡ１と、表示制御情報ＤＡ２と、回転制御情報ＤＡ６とを含むサイネージ情報ＤＡを生成する。処理は、ステップＳ１０７に進む。
【００８５】
ステップＳ１０７において、制御部２０１は、サイネージ情報ＤＡを含む制御情報Ｄを表示装置１００に送信するように、通信部２０３を制御する。処理は、ステップＳ１０８に進む。
【００８６】
ステップＳ１０８において、制御部２０１は、割込み処理を実行するか否かを判定する。割込み処理については、図８を参照して後述する。割込み処理を実行しない場合、（ステップＳ１０８において、Ｎｏ）、処理は終了する。割込み処理を実行する場合（ステップＳ１０８において、Ｙｅｓ）、処理はステップＳ１０９に進む。
【００８７】
ステップＳ１０８でＹｅｓの場合、ステップＳ１０９において、制御部２０１は割込み処理を実行する。処理は終了する。
【００８８】
次に、図８を参照して、表示システム１が実行する割込み処理を詳しく説明する。図８は、サーバー２００が実行する割込み処理を示すフローチャートである。図８に示すように、割込み処理は、ステップＳ２０１〜ステップＳ２０６を含む。
【００８９】
ステップＳ２０１において、制御部２０１は、割込み制御情報ＤＢの作成指示を受け付ける。処理は、ステップＳ２０２に進む。
【００９０】
ステップＳ２０２において、制御部２０１は、時間情報ＤＢ１を受け付ける。処理は、ステップＳ２０３に進む。
【００９１】
ステップＳ２０３において、制御部２０１は、表示制御情報ＤＢ２を受け付ける。処理は、ステップＳ２０４に進む。
【００９２】
ステップＳ２０４において、制御部２０１は、回転制御情報ＤＢ６を受け付ける。処理は、ステップＳ２０５に進む。
【００９３】
ステップＳ２０５において、生成部２１１は、時間情報ＤＢ１と、表示制御情報ＤＢ２と、回転制御情報ＤＢ６とを含む割込み制御情報ＤＢを生成する。処理は、ステップＳ２０６に進む。
【００９４】
ステップＳ２０６において、制御部２０１は、割込み制御情報ＤＢを含む制御情報Ｄを表示装置１００に送信するように、通信部２０３を制御する。処理は、図７に示すフローチャートに戻る。
【００９５】
次に、図９を参照して、表示装置１００が実行する処理を説明する。図９は、表示装置１００が実行する処理を示すフローチャートである。図９に示すように、表示装置１００が実行する処理は、ステップＳ３０１〜ステップＳ３０８を含む。
【００９６】
ステップＳ３０１において、表示制御部２２１がサイネージ情報ＤＡを含む制御情報Ｄをサーバー２００から受信したか否かを判定する。制御情報Ｄをサーバー２００から受信していない場合（ステップＳ３０１において、Ｎｏ）、処理はステップＳ３０１を繰り返す。制御情報Ｄをサーバー２００から受信した場合（ステップＳ３０１において、Ｙｅｓ）、処理はステップＳ３０２に進む。
【００９７】
ステップＳ３０１でＹｅｓの場合、ステップＳ３０２において、表示制御部２２１は、サイネージ情報ＤＡに基づいて、表示部２１を制御する。処理は、ステップＳ３０３に進む。
【００９８】
ステップＳ３０３において、回転制御部３４１は、サイネージ情報ＤＡに基づいて、回転部３１を制御する。処理は、ステップＳ３０４に進む。
【００９９】
ステップＳ３０４において、表示制御部２２１は、割込み制御情報ＤＢをサーバー２００から受信したか否かを判定する。割込み制御情報ＤＢをサーバー２００から受信していない場合（ステップＳ３０４において、Ｎｏ）、処理はステップＳ３０７に進む。割込み制御情報ＤＢをサーバー２００から受信した場合（ステップＳ３０４において、Ｙｅｓ）、処理はステップＳ３０５に進む。
【０１００】
ステップＳ３０４でＹｅｓの場合、ステップＳ３０５において、表示制御部２２１は、割込み制御情報ＤＢに基づいて、表示部２１を制御する。処理は、ステップＳ３０６に進む。
【０１０１】
ステップＳ３０６において、回転制御部３４１は、割込み制御情報ＤＢに基づいて、回転部３１を制御する。処理は、ステップＳ３０７に進む。
【０１０２】
ステップＳ３０７において、表示制御部２２１は、制御情報Ｄに基づいて、終了時刻か否かを判定する。終了時刻でない場合（ステップＳ３０７において、Ｎｏ）、処理は、ステップＳ３０１に戻る。終了時刻である場合（ステップＳ３０７において、Ｙｅｓ）、処理は、ステップＳ３０８に進む。
【０１０３】
ステップＳ３０７でＹｅｓの場合、ステップＳ３０８において、表示装置１００は表示部２１及び回転部３１の電力の供給を停止する。処理は、終了する。
【０１０４】
（変形例１）
次に、図１０と図１１とを参照して、本実施形態の表示装置１００の第１変形例を説明する。第１変形例では、複数の表示部２１が筒部１０に配置される点で本実施形態と主に異なる。以下、第１変形例が本実施形態と異なる点を説明する。
【０１０５】
図１０は、第１変形例の表示装置１００を示す図である。図１１は、図１０に示す筒部１０の断面を示す模式図である。発明の理解を容易にするために、図１０及び図１１では、表示装置１００のうち、回転ユニット３０を省略している。
【０１０６】
第１変形例の表示装置１００の筒部１０は、透明であり、透き通っている。「透明」は、無色透明、半透明、または有色透明である。換言すれば、「透明」は、例えば、筒部１０の内部空間１２から光を透過させる状態である。
【０１０７】
図１０に示すように、第１変形例の表示装置１００の表示ユニット２０は、図２で説明した構成以外に、複数の表示部２１と、複数の表示基板２２と、光源部２５と含む。
【０１０８】
複数の表示部２１は、画像を表示する。第１変形例の表示部２１は、例えば、液晶ディスプレイ（ＬＣＤ）である。液晶ディスプレイ（ＬＣＤ）は、自ら発光しない。
【０１０９】
複数の表示部２１は、回転部３１の回転軸３３に沿って、湾曲面１１に並べて配置される。したがって、画像を表示した複数の表示部２１を回転させて、画像を表示した複数の表示部２１を目立たせることができる。この結果、表示装置１００を広告媒体として使用した際に、更に効果的に宣伝できる。
【０１１０】
複数の表示基板２２は、複数の表示部２１に画像情報を送る。複数の表示基板２２は、サーバー２００と配線を介して接続されている。複数の表示基板２２のそれぞれは、対応する表示部２１に接続される。
【０１１１】
光源部２５は、光を出射する。図１１に示すように、光源部２５は、筒部１０の内部空間１２に配置される。光源部２５は、筒部１０の内壁に取付けられる。光源部２５が出射した光は、筒部１０を介して、表示部２１に到達する。つまり、光源部２５は、表示部２１のバックライトとして使用される。
【０１１２】
また、表示装置１００の筒部１０が透明の場合、表示部２１は、筒部１０の内部の湾曲面に配置されてもよい。よって、筒部１０を介して表示部２１に表示された画像が視認できる。
【０１１３】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【０１１４】
（１）本実施形態の表示基板２２は、サーバー２００と通信する場合、通信部２２３のスリップリングを介して制御情報Ｄを受信したが、これに限らない。例えば、無線ＬＡＮ（Ｌｏｃａｌ  Ａｒｅａ  Ｎｅｔｗｏｒｋ）、または、Ｂｌｕｅｔｏｏｔｈ（登録商標）を用いてサーバー２００から画像情報を受信してもよい。
【０１１５】
（２）本実施形態の表示基板２２への電力の供給は、電源部２３のスリップリングを介して実行されたが、これに限らない。例えば、表示基板２２と電源部２３との間で無線給電を行ってもよい。具体的には、表示装置１００は、給電部と、受電部とを有していてもよい。給電部は、受電部へ電力を供給する。給電部は、受電部を介して、表示装置１００に電力を供給する。給電部は、発振コイルを有する。受電部は、給電部から供給される電力を受ける。受電部は、受電コイルと、整流回路を有する。受電部は給電部と対向する。具体的には、受電部の受電コイルは、給電部の発振コイルと対向する。受電コイルと発振コイルとが対向することで、受電コイルと発振コイルとの間には電磁誘導結合が生じる。そして、受電コイルに交流電流が誘起される。したがって、表示装置１００に電力が供給される。この結果、表示装置１００に対して非接触（無線）で電力を供給できる。
【０１１６】
（３）本実施形態の表示装置１００では、回転ユニット３０が回転制御部３４１を有していたが、これに限らない。例えば、サーバー２００の制御部２０１が、回転制御部３４１を有していてもよい。サーバー２００の回転制御部３４１が回転部３１を制御する場合、サーバー２００の回転制御部３４１の指示にしたがって、回転部３１は制御される。
【０１１７】
（４）本実施形態の表示装置１００は、例えば、エンターテイメント機器に採用されてもよい。例えば、表示部２１は、記号を示す画像を表示する。そして、特定の記号が表示部２１に表示されたときに、回転部３１は回転するように制御される。したがって、特定の記号を表示する表示部２１を回転させることで、特定の記号が表示部２１に表示されていることを使用者に気付かせることができる。
【産業上の利用可能性】
【０１１８】
本発明は、表示装置、表示方法、サーバー、及び、サーバーの制御方法を提供するものであり、産業上の利用可能性を有する。
【符号の説明】
【０１１９】
１０      ：筒部
１１      ：湾曲面
２１      ：表示部
３１      ：回転部
３３      ：回転軸
１００    ：表示装置
２００    ：サーバー
２０１    ：制御部
２０３    ：通信部
２１１    ：生成部
３４１    ：回転制御部
Ｄ        ：制御情報
【図１】
2022003360.tif 000003
【図２】
2022003360.tif 000004
【図３】
2022003360.tif 000005
【図４】
2022003360.tif 000006
【図５】
2022003360.tif 000007
【図６】
2022003360.tif 000008
【図７】
2022003360.tif 000009
【図８】
2022003360.tif 000010
【図９】
2022003360.tif 000011
【図１０】
2022003360.tif 000012
【図１１】
2022003360.tif 000013